(57)【特許請求の範囲】
【請求項１】
円形の底壁の周方向に沿って環状の周壁が設けられた容器本体と、当該容器本体の内側に複数の粒状物の収納空間を形成する蓋体とを有する粒状物収納容器であって、
容器本体の周壁の一部を、ヒンジを介して回動可能な可動周壁に構成すると共に、周壁の他の部分を底壁に固定された固定周壁に構成し、
当該可動周壁の内側に、収納空間内の粒状物を載置する底壁と、当該底壁から一体に起立して粒状物の取出室を区画する２つの側壁とで構成された、粒状物の取出部を有し、
当該取出部の側壁のうち、ヒンジ側となるヒンジ側側壁よりもヒンジに対して外側に配置される最外側側壁の先端部に、取出部を開くときに、容器本体の固定周壁の周方向端縁に引っ掛かって取出部の抜けを阻止する第１ストッパ部が設けられ、
更に、容器本体の底壁に、当該底壁から一体に起立して前記第１ストッパ部が摺動可能に接触する側面を形成し取出部を開閉方向に案内する案内壁が設けられていると共に、
当該案内壁に、取出部を閉じるときに、取出部の最外側側壁の先端部が突き当たって当該取出部の押し込みを阻止する第２ストッパ部が設けられていることを特徴とする粒状物収納容器。
【請求項２】
請求項１において、容器本体の固定周壁の周方向端縁を膨出部として構成したことを特徴とする粒状物収納容器。
【請求項３】
請求項１又は２において、前記取出部に、把手部を設けたことを特徴とする粒状物収納容器。
【請求項４】
請求項１乃至３のいずれか１項において、前記案内壁の側面に、前記取出部を閉じるときに、当該取出部の突起部が乗り越えることで、当該取出部の開きを規制する位置決め部を設けたことを特徴とする粒状物収納容器。
【請求項５】
請求項１乃至４のいずれか１項において、前記案内壁の側面に、前記取出部を開くときに、前記取出部の突起部が乗り越えることで、当該取出部の閉じを規制する位置決め部を設けたことを特徴とする粒状物収納容器。
【発明の詳細な説明】
【技術分野】
【０００１】
本発明は、複数の粒状物を収納して、その取り出しが可能な粒状物収納容器に関するものである。
【背景技術】
【０００２】
従来の粒状物収納容器としては、容器本体に、収納空間に通じる取出口を形成し、この取出口を蓋体によって開閉するものがある（例えば、特許文献１参照）。
【先行技術文献】
【特許文献】
【０００３】
【特許文献１】特開２００４−２１０３０９号公報
【発明の概要】
【発明が解決しようとする課題】
【０００４】
しかしながら、従来の粒状物収納容器は、容器本体の天壁に取出口を形成したため、蓋体が強調されることで、容器の外観形状に対して煩雑な印象を与える場合がある。この印象は、蓋体を容器本体に回転可能に装着した場合に顕著である。
【０００５】
また、従来の粒状物収納容器によれば、蓋体を容器本体と別体に構成して取り外し可能に構成することも可能であるが、操作性や部品点数の点で改善の余地がある。
【０００６】
本発明の目的とするところは、部品点数の増加を伴うことなく、すっきりとした外観印象を与え、更に操作性の良好な、新規な粒状物収納容器を提供することにある。
【課題を解決するための手段】
【０００７】
本発明は、円形の底壁の周方向に沿って環状の周壁が設けられた容器本体と、当該容器本体の内側に複数の粒状物の収納空間を形成する蓋体とを有する粒状物収納容器であって、容器本体の周壁の一部を、ヒンジを介して回動可能な可動周壁に構成すると共に、周壁の他の部分を底壁に固定された固定周壁に構成し、当該可動周壁の内側に、収納空間内の粒状物を載置する底壁と、当該底壁から一体に起立して粒状物の取出室を区画する２つの側壁とで構成された、粒状物の取出部を有し、当該取出部の側壁のうち、ヒンジ側となるヒンジ側側壁よりもヒンジに対して外側に配置される最外側側壁の先端部に、取出部を開くときに、容器本体の固定周壁の周方向端縁に引っ掛かって取出部の抜けを阻止する第１ストッパ部が設けられ、更に、容器本体の底壁に、当該底壁から一体に起立して前記第１ストッパ部が摺動可能に接触する側面を形成し取出部を開閉方向に案内する案内壁が設けられていると共に、当該案内壁に、取出部を閉じるときに、取出部の最外側側壁の先端部が突き当たって当該取出部の押し込みを阻止する第２ストッパ部が設けられていることを特徴とするものである。
【０００８】
本発明によれば、容器本体の固定周壁の周方向端縁を膨出部として構成することができる。
【０００９】
また、前記取出部には、把手部を設けることが好ましい。
【００１０】
更に、本発明によれば、前記案内壁の側面に、前記取出部を閉じるときに、当該取出部の突起部が乗り越えることで、当該取出部の開きを規制する位置決め部を設けることができる。加えて、前記案内壁の側面に、前記取出部を開くときに、前記取出部の突起部が乗り越えることで、当該取出部の閉じを規制する位置決め部を設けることができる。
【発明の効果】
【００１１】
本発明によれば、容器本体の周壁の一部を、ヒンジを介して回動可能にすることで、粒状物の取出部を構成したことから、容器本体と取出部を一体化させることができる。このため、本発明によれば、取出部を設けても、部品点数の増加を伴うことがない。加えて、取出部は、周壁に対して出し入れすることができることから、すっきりとした外観印象を与える。更に、取出部は、容器本体の周壁に対して回動させることで開閉できるため、操作性も良好である。
【００１２】
従って、本発明によれば、部品点数の増加を伴うことなく、すっきりとした外観印象を与え、更に操作性の良好な、新規な粒状物収納容器を提供することができる。
【図面の簡単な説明】
【００１３】
【図１】(a)は、本発明である、粒状物収納容器の一形態である、タブレット容器の容器本体を、その取出部を閉じた状態で示す上面図であり、(b)は、同タブレット容器を、その取出部を閉じた状態で示す一部断面図である。
【図２】(a)は、同タブレット容器の容器本体を、その取出部を開いた状態で示す上面図であり、(b)は、同タブレット容器を、その取出部を開いた状態で示す一部断面図である。
【図３】同タブレット容器の容器本体を、その取出部が組み付けられる前の状態で示す上面図である。
【図４】(a)は、同タブレット容器の取出部を開いて、粒状物を取り出す状態を示す要部斜視図であり、(b)は、同タブレット容器を上方から示す斜視図である。
【発明を実施するための形態】
【００１４】
以下、図面を参照して、本発明である、粒状物収納容器の一形態である、タブレット容器を詳細に説明する。
【００１５】
図１(a)の符号１は、円形の底壁２を有し当該底壁２の周方向に沿って環状の周壁３が設けられた円筒形の容器本体である。周壁３は、底壁２の外縁に沿って一体に起立する。タブレット容器は、図１(b)に示すように、容器本体１の上端に円筒形の蓋体７を合せることで、その内側に、丸形の、複数の粒状物Ｃの収納空間Ｒ1を形成する。
【００１６】
符号４は、収納空間Ｒ1内の粒状物Ｃを取り出すための取出部である。取出部４は、周壁３の一部３ａを、ヒンジ３ｈを介して回動可能な可動周壁４ａに構成することで、容器本体１と一体に設けられている。可動周壁４ａには、粒状物Ｃを載置する底壁４ｂと、この底壁４ｂから一体に起立する２つの側壁４ｃ，４ｄが設けられている。側壁４ｃ，４ｄは、図２(a)に示すように、底壁４ｂに対して所定の間隔を空けて配置されることで、１つの粒状物Ｃを収納可能な取出室Ｒ2を区画する。これにより、取出部４は、図３に示すように、ヒンジ３ｈを介して容器本体１と一体の部品とすることができる。なお、２ｃは、底壁２に形成した切欠部である。
【００１７】
また、本形態では、取出部４の側壁４ｃ，４ｄのうち、ヒンジ側の側壁（以下、「ヒンジ側側壁」）４ｃが、最外側の側壁（以下、「最外側側壁」）４ｄよりも短い寸法となると共に、ヒンジ３ｈとヒンジ側側壁４ｃとの間が湾曲壁４ｆで繋がる。
【００１８】
更に、本形態では、取出部４に、把手部４ｔが設けられている。これにより、把手部４ｔを用いて取出部４を、ヒンジ３ｈを基点に回動させれば、図１(a)に示すように、取出部４を底壁２に固定された周壁（以下、「固定周壁」）３ｂに収納し、或いは、図２(a)に示すように、固定周壁３ｂから引き出すことができる。
【００１９】
また、最外側側壁４ｄの先端部４ｅには、図２(a)に示すように、取出部４を開くときに、底壁２に固定された周壁（以下、「固定周壁」）３ｂの周方向端縁３ｅに引っ掛かって取出部４の抜けを阻止する外向きの突起部（抜け防止用ストッパ）４ｓが一体に設けられている。これにより、取出部４を回動させて固定周壁３ｂから引き出しても、取出部４は、固定周壁３ｂから外れて抜け出すことがない。
【００２０】
更に、容器本体１の底壁２には、取出部４をその回動方向に沿って案内する案内壁５が設けられている。案内壁５は、底壁２から一体に起立して突起部４ｓが摺動可能に接触する側面５ａを形成する。また、案内壁５は、図２(a)に示すように、粒状物Ｃを取出室Ｒ2内に取り込むための仕切壁としても機能する。
【００２１】
更に、案内壁５には、図１(a)に示すように、取出部４を閉じるときに、取出部４の最外側側壁４ｄの先端部４ｅが突き当たって当該取出部４の押し込みを阻止する突起部（押し込み防止用ストッパ）５ｓが一体に設けられている。これにより、取出部４を回動させて固定周壁３ｂよりも内側に押し込んでも、取出部４は、固定周壁３ｂよりも内側に入り込むことがない。
【００２２】
次に、本発明に従うタブレット容器の使用方法について説明する。
【００２３】
タブレット容器は、携帯して持ち運ぶ等の不使用時には、図１に示すように、取出部４を閉じた状態にしておく。そして、使用時には、把手４ｔを用いて固定周壁３ｂよりヒンジ３ｈを基点に外側に引き出せば、図２に示すように、粒状物Ｃを１つずつ取出すことができる。
【００２４】
上述のように、本形態によれば、容器本体１の周壁３の一部３ａを、ヒンジ３ｈを介して回動可能にすることで、粒状物Ｃの取出部４を構成したことから、図３に示すように、容器本体１と取出部４を一体化させることができる。このため、本形態によれば、取出部４を設けても、部品点数の増加を伴うことがない。加えて、取出部４は、周壁３に対して出し入れすることができることから、図４(b)に示すように、すっきりとした外観印象を与える。更に、取出部４は、容器本体１の固定周壁３ｂに対して回動させることで開閉できるため、操作性も良好である。
【００２５】
従って、本形態のタブレット容器は、部品点数の増加を伴うことなく、すっきりとした外観印象を与え、更に操作性の良好なものとなる。
【００２６】
また、本形態では、取出部４の側壁４ｃ，４ｄのうち、ヒンジ側側壁４ｃが、最外側側壁４ｄよりも短い寸法となることで、粒状物Ｃを取出室Ｒ2内に取り込み易くしていると共に、更に、ヒンジ３ｈとヒンジ側側壁４ｃとの間に、粒状物Ｃを取出室Ｒ2内に誘導するための湾曲壁４ｆを設けることで、粒状物Ｃを更に取り込み易くしている。
【００２７】
また、本形態では、図３に示すように、容器本体１の固定周壁３ｂの周方向端縁３ｅを膨出部３ｓとして構成している。かかる構成によれば、周方向端縁３ｅの剛性が高まるため、取出部４の開きを大きな力で行われたときも、突起部４ｓが周方向端縁３ｅに引っ掛かりが外れ難いことから、取出部４の開きをより一層確実に制限することができる。
【００２８】
更に、本形態では、取出部４に、把手部４ｔを設けたことにより、取出部４の開閉操作を更に容易に行うことができる。
【００２９】
加えて、案内壁５の側面５ａには、図１(a)に示すように、取出部４を閉じるときに、突起部４ｓが乗り越えることで、当該取出部４の開きを規制する第１の凸部（位置決め部）５ｐ1が一体に設けられている。これにより、取出部４を一度閉じると、一定以上の力が加わらない限り、取出部４を閉じた状態に維持することができる。
【００３０】
更に、案内壁５の側面５ａには、図２(a)に示すように、取出部４を開くときに、突起部４ｓが乗り越えることで、当該取出部Ｅの閉じを規制する第２の凸部（位置決め部）５ｐ2が一体に設けられている。これにより、取出部４を一度開くと、一定以上の力が加わらない限り、取出部４を開いた状態に維持することができる。
【００３１】
上述したところは、本発明の一形態を示したにすぎず、特許請求の範囲において、種々の変更を加えることができる。例えば、粒状物Ｃの形状は、丸形形状に限定されるものではない。
【００３２】
例えば、容器本体１と蓋体７とはそれぞれ、係止部ｆ1，ｆ2を有する。係止部ｆ1，ｆ2は、互いに引っ掛かって係止される。同図においては、係止部ｆ1は、容器本体１の周壁３（３ａ）の上端部内側に形成された環状の凸部であり、また、係止部ｆ2は、周壁３（３ａ）の上端部に取り囲まれるように天壁７ａから一体に垂下する周壁７ｂの外側に形成された環状の凸部である。係止部ｆ1，ｆ2は、同図に示すように、互いに対向する位置に形成された環状溝に嵌合する。これにより、容器本体１及び蓋体７を固定することができる。また、該環状溝での嵌合を着脱自在とする場合には、粒状物Ｃの詰め替えを可能にできるので、繰り返し使用する形態にも対応できる。
【００３３】
また、本発明に従えば、係止部ｆ1，ｆ2を単なる圧入嵌合とすることもできる。更に、接着剤を用いて固定する等、その固定手段は問わない。即ち、本発明に従えば、容器本体１及び蓋体７は、既存の種々の手段を用いて固定することができる。
【産業上の利用可能性】
【００３４】
本発明は、例えば、粒状のガムやキャンディ等の嗜好品や、丸薬等の錠剤を収納容器に採用することができる。
【符号の説明】
【００３５】
１    容器本体
２    容器本体底壁
３    周壁
３ａ（４ａ）  可動周壁
３ｂ  固定周壁
３ｅ  固定周壁の周方向端縁
３ｓ  膨出部
４    取出部
４ｂ  取出部底壁
４ｃ  ヒンジ側側壁
４ｄ  最外側壁
４ｅ  最外側壁の先端部
４ｆ  湾曲壁
４ｓ  突起部（抜け防止用ストッパ）
４ｔ  把手部
５    案内壁
５ａ  案内壁側面
５ｐ1 第１の凸部
５ｐ2 第２の凸部
５ｓ  突起部（押し込み防止用ストッパ）
Ｒ1   収納空間
Ｒ2   取出室
【図１】
0005620306.tif 000002
【図２】
0005620306.tif 000003
【図３】
0005620306.tif 000004
【図４】
0005620306.tif 000005